(57)【要約】      （修正有）【課題】コイン形電池等の様に丸みの有る形状の電子部品を、ピックアップエラーが無く、電子部品端子に損傷を与えず、ゴミ付着しにくく安定して収納可能な電子部品収納用キャリアテープを提供する。【解決手段】コイン形電池の形状に合わせてエンボスポケット部を形成して回転を抑え、更に電子部品の端子下面がエンボスポケット底面に接触しない様に収納し、キャリアテープに端子部分が触れにくくして、電子部品端子への損傷、ゴミ付着を防止する。【選択図】図６
2005022687.tif 000002
【特許請求の範囲】
【請求項１】
可撓性を有するテープ状物体の長手方向に一定の間隔で配置された電子部品収納用エンボス部を有する電子部品収納用エンボスキャリアテープにおいて、エンボスポケット側壁に、更に長手方向及び幅方向の少なくとも一方向に対向する一対の円錐台状のエンボスポケットを有することを特徴とする電子部品収納用エンボスキャリアテープ
【発明の詳細な説明】
【０００１】
【発明の属する技術分野】
本発明は電子部品の包装、及び搬送に用いられ、特にはコイン形電池に用いられる電子部品収納用エンボスキャリアテープに関するものである。
【０００２】
【従来の技術】
これまで電子部品の多くは、特許文献１に示される様に、一枚の中に電子部品収納用の多くの間仕切りを有するトレーを使用し、保管又は搬送が行われていた。最近の電子部品実装工程の高速化の要求からエンボスキャリアテープによる電子デバイスの包装が求められている。
キャリアテープにおいては従来、一般に図１に示す様に直方体ないしは正方体形状のエンボスポケット部を有するキャリアテープが用いられていたが、図２に示す様にコイン形電池のような丸みの有る円形状を有する電子部品を収納すると回転が大きく、安定した収納が行われないのでピックアップ時にエラーを起こしやすく、又回転により電池の端子を損傷することがあり、更に端子が図４に示す様にキャリアテープエンボスポケットに直接触れて、エンボスポケット部表面層が剥がれて、収納している電子部品にゴミが付着するおそれがあった。又、図３の断面図に示される様に、電子部品の端子部分（８）がエンボスポケット部の底面（１１）に接触して端子にゴミ付着、端子の損傷を招くおそれがあった。
【０００３】
【特許文献１】
特開平０６−１７９８０６号公報
【０００４】
【発明が解決しようとする課題】
本発明はかかる問題を解決したものであり、電子部品、特にコイン形電池を収納するのに好適な電子部品収納用エンボスキャリアテープを提供するものである。
【０００５】
【課題を解決するための手段】
本発明は、可撓性を有するテープ状物体の長手方向に一定の間隔で配置された電子部品収納用エンボス部を有する電子部品収納用エンボスキャリアテープにおいて、エンボスポケット側壁に、更に長手方向及び幅方向の少なくとも一方向に対向する一対の円錐台状のエンボスポケットを有することを特徴とする電子部品収納用エンボスキャリアテープについてである。
【０００６】
【発明の実施の形態】
以下、本発明の一実施例を図５〜８を用いて説明する。
本発明は、コイン型電池等の電子部品（２）収納用に用いられる電子部品収納用エンボスキャリアテープ（１）であり、送り穴（１０）側の大きい大きさの異なる長方形状のエンボスポケット部（３）の側壁部（４）にキャリアテープ長手方向（６）に対向して一対の円錐台状のエンボスポケット部（７）を有する。この時、電子部品の円状部分（９）は円錐台状のエンボスポケット部（７）に納まっており、又電子部品の端子部分（８）も長方形状のエンボスポケット部（３）に納まっており、図８に示す様に本発明の電子部品（２）のエンボスポケット内回転角（ａ）は１０度以下になっているので、電子部品の端子部分（８）が損傷しにくく、エンボスポケット内に安定挿入され、ピックアップも容易である。また図７に示す様に、電子部品の円状部分（９）が円錐台状のエンボスポケット部（７）に収まっているので電子部品の端子部分（８）下面がエンボスポケット底面（１１）に接触しにくく、よってキャリアテープ表面層が剥がれて電子部品にゴミ付着するということがない。
本発明の別の一実施例について図９〜１２を用いて説明すると、本発明は、コイン型電池等の電子部品（２）収納用に用いられる電子部品収納用エンボスキャリアテープ（１）であり、送り穴（１０）側の小さい大きさの異なる長方形状のエンボスポケット部（３）の側壁部（４）にキャリアテープ長手方向（６）に対向して一対の円錐台状のエンボスポケット部（７）を有する。この時、電子部品の円状部分（９）は円錐台状のエンボスポケット部（７）に納まっており、又電子部品の端子部分（８）も長方形状のエンボスポケット部（３）に納まっており、図１２に示す様に本発明の電子部品（２）のエンボスポケット内回転角（ａ）は１０度以下になっているので、電子部品の端子部分（８）が損傷しにくく、エンボスポケット内に安定挿入され、ピックアップも容易である。また図１１に示す様に、電子部品の円状部分（９）が円錐台状のエンボスポケット部（７）に収まっているので電子部品の端子部分（８）下面がエンボスポケット底面（１１）に接触しにくく、よってキャリアテープ表面層が剥がれて電子部品にゴミ付着するということがない。
本発明について、又更に別の一実施例について、図１３〜図１６を用いて説明すると、本発明はコイン型電池等の電子部品（２）収納用に用いられる電子部品収納用エンボスキャリアテープ（１）であり、大きさが同じである長方形状のエンボスポケット部（３）の側壁部（４）にキャリアテープ長手方向（６）に対向して一対の円錐台状のエンボスポケット部（７）を有する。この時、電子部品の円状部分（９）は円錐台状のエンボスポケット部（７）に納まっており、又電子部品の端子部分（８）も長方形状のエンボスポケット部（３）に納まっており、図１６
に示す様に本発明の電子部品（２）のエンボスポケット内回転角（ａ）は１０度以下になっているので、電子部品の端子部分（８）が損傷しにくく、エンボスポケット内に安定挿入され、ピックアップも容易である。また図１５に示す様に、電子部品の円状部分（９）が円錐台状のエンボスポケット部（７）に収まっているので電子部品の端子部分（８）下面がエンボスポケット底面（１１）に接触しにくく、よってキャリアテープ表面層が剥がれて電子部品にゴミ付着するということがない。
【０００７】
これに対し、従来のキャリアテープに収納した電子部品のエンボスポケット内回転角（ｂ）は、図４で明らかな様に電子部品がエンボスポケット内に安定して納まっていないので、回転の自由度が高く、従って回転角（ｂ）も本発明の電子部品のエンボスポケット内回転角（ａ）に比べて顕著に大きい。この為、回転に伴い端子部分の損傷や、ピックアップ時のエラーを引き起こしやすい。更に図３から明らかな様に、端子部分（８）がエンボスポケット底面（１１）に接触してしまっているので電子部品が回転した場合、端子部分の損傷、ゴミ付着が顕著である。
【０００８】
又、ユーザー用途によっては電子部品の挿入の向きを反転して使用する場合も有り、図１３〜図１６に示す様に、長方形状のエンボスポケット部（３）の送り穴（１０）と反送り穴側の大きさを同じにすれば、エンボス部が上下左右対称形となるので、反転させて使用すれば済み、送り穴位置の異なる２種類のキャリアテープを用意する必要が無くなる。
【０００９】
【発明の効果】
以上のように本発明によると、コイン形電池のような丸みの有る形状の電子部品の収納が安定して行え、ピックアップ時のエラーが無く、電子部品の損傷、ゴミ付着が無く、更にユーザー用途によって送り穴位置を変える事の必要の無い電子部品収納用エンボスキャリアテープが得られる。
【図面の簡単な説明】
【図１】従来の電子部品収納用エンボスキャリアテープの一例を示す斜視図
【図２】従来の電子部品収納用エンボスキャリアテープの一例を示す平面図及び側断面図
【図３】図２を拡大した平面図及び側断面図
【図４】従来の電子部品収納用エンボスキャリアテープに電子部品を収納して回転した時を示す平面図
【図５】本発明の電子部品収納用エンボスキャリアテープの一例を示す斜視図
【図６】本発明の電子部品収納用エンボスキャリアテープの一例を示す平面図及び側断面図
【図７】図６を拡大した平面図及び側断面図
【図８】本発明の電子部品収納用エンボスキャリアテープに電子部品を収納して回転した時を示す平面図
【図９】本発明の電子部品収納用エンボスキャリアテープの一例を示す斜視図
【図１０】本発明の電子部品収納用エンボスキャリアテープの一例を示す平面図及び側断面図
【図１１】図１０を拡大した平面図及び側断面図
【図１２】本発明の電子部品収納用エンボスキャリアテープに電子部品を収納して回転した時を示す平面図
【図１３】本発明の電子部品収納用エンボスキャリアテープの一例を示す斜視図
【図１４】本発明の電子部品収納用エンボスキャリアテープの一例を示す平面図及び側断面図
【図１５】図１４を拡大した平面図及び側断面図
【図１６】本発明の電子部品収納用エンボスキャリアテープに電子部品を収納して回転した時を示す平面図
【符号の説明】
１  電子部品収納用エンボスキャリアテープ
２  電子部品
３  エンボスポケット部
４  エンボスポケット部の側壁部
５  キャリアテープ幅方向
６  キャリアテープ長手方向
７  円錐台状のエンボスポケット部
８  電子部品の端子部分
９  電子部品の円状部分
１０  送り穴
１１  エンボスポケット部の底面
ａ  本発明のキャリアテープに収納した電子部品のエンボスポケット内回転角
ｂ  従来のキャリアテープに収納した電子部品のエンボスポケット内回転角
【図１】
2005022687.tif 000003
【図２】
2005022687.tif 000004
【図３】
2005022687.tif 000005
【図４】
2005022687.tif 000006
【図５】
2005022687.tif 000007
【図６】
2005022687.tif 000008
【図７】
2005022687.tif 000009
【図８】
2005022687.tif 000010
【図９】
2005022687.tif 000011
【図１０】
2005022687.tif 000012
【図１１】
2005022687.tif 000013
【図１２】
2005022687.tif 000014
【図１３】
2005022687.tif 000015
【図１４】
2005022687.tif 000016
【図１５】
2005022687.tif 000017
【図１６】
2005022687.tif 000018